(57)【要約】【課題】重量のある商品を収容した場合でも、接着が外れてしまうことを抑制することができる商品包装袋を提供する。【解決手段】表裏のフィルム２，３の上方に開口部４を有する袋５と、袋５の開口部４の縁から延出されたフラップ６と、を備え、フラップ６を開口部４を閉じる方向に折り曲げてフラップ６を袋５に固定するための粘着剤層７をフラップ６又は袋５に備え、粘着剤層７を覆うための離型材８を備えている商品包装袋であって、表側のフィルム２の上端部の内面と裏側のフィルム３の上端部の内面とを固定するための第２の粘着剤層９を、表側のフィルム２又は裏側のフィルム３に備え、第２の粘着剤層９を覆うための第２の離型材１０を備えている。【選択図】  図１
0003204077.tif 000002
【実用新案登録請求の範囲】
【請求項１】
表裏のフィルムの上方に開口部を有する袋と、該袋の開口部の縁から延出されたフラップと、を備え、
前記フラップを前記開口部を閉じる方向に折り曲げて該フラップを前記袋に固定するための粘着剤層を該フラップ又は該袋に備え、前記粘着剤層を覆うための離型材を備えている商品包装袋であって、
前記表側のフィルムの上端部の内面と前記裏側のフィルムの上端部の内面とを固定するための第２の粘着剤層を、該表側のフィルム又は該裏側のフィルムに備え、前記第２の粘着剤層を覆うための第２の離型材を備えていることを特徴とする商品包装袋。
【請求項２】
前記フラップには、吊下げ用の貫通孔が形成されていることを特徴とする請求項１に記載の商品包装袋。
【請求項３】
前記第２の粘着剤層が、上下方向に複数箇所備えていることを特徴とする請求項１又は２に記載の商品包装袋。
【考案の詳細な説明】
【技術分野】
【０００１】
本考案は、表裏のフィルムの上方に開口部を有する袋と、該袋の開口部の縁から延出されたフラップと、を備えた商品包装袋に関する。
【背景技術】
【０００２】
かかる商品包装袋としては、裏側のフィルムから上方へ延出されたフラップの表面側の上端部に、粘着剤層を左右幅方向略全域に亘って備え、前記粘着剤層を覆うための離型材を備えている。このような商品包装袋は、まず開口部を通して袋の内部に商品を収容する。次に、離型材を剥がした後、フラップを開口部を閉じる方向に折り曲げてフラップの粘着剤層を表側のフィルムの上端部の表面に押し付けてフラップを表側のフィルムに固定する。これにより、開口をフラップで閉じた状態を維持できるようにしている（例えば、特許文献１参照）。
【先行技術文献】
【特許文献】
【０００３】
【特許文献１】特開２００３−８１２９２号公報（図１及び図２参照）
【考案の概要】
【考案が解決しようとする課題】
【０００４】
上記構成の商品包装袋は、フラップの表面側の上端部の１箇所にのみ備えた粘着剤層を表側のフィルムの上端部の表面に接着しているだけであるため、収容した商品が重量のあるものである場合に、商品包装袋の上端を把持して持ち上げた時に、前記接着が外れてしまうことがあり、早期改善が要望されている。
【０００５】
そこで、本考案は、かかる事情に鑑みてなされたもので、重量のある商品を収容した場合でも、接着が外れてしまうことを抑制することができる商品包装袋を提供することを課題とする。
【課題を解決するための手段】
【０００６】
本考案に係る商品包装袋は、表裏のフィルムの上方に開口部を有する袋と、該袋の開口部の縁から延出されたフラップと、を備え、前記フラップを前記開口部を閉じる方向に折り曲げて該フラップを前記袋に固定するための粘着剤層を該フラップ又は該袋に備え、前記粘着剤層を覆うための離型材を備えている商品包装袋であって、前記表側のフィルムの上端部の内面と前記裏側のフィルムの上端部の内面とを固定するための第２の粘着剤層を、該表側のフィルム又は該裏側のフィルムに備え、前記第２の粘着剤層を覆うための第２の離型材を備えていることを特徴としている。
【０００７】
本考案によれば、開口部を通して袋の内部に商品を収容する。商品の収容後、第２の粘着剤層を覆っている第２の離型材を取り外してから、表側のフィルムと前記裏側のフィルムとを接触させることによって、表側のフィルムの上端部の内面と裏側のフィルムの上端部の内面とを第２の粘着剤層により固定して開口部を閉じることができる。次に、粘着剤層を覆っている離型材を取り外してから、開口部を閉じる方向にフラップを折り曲げることによりフラップを袋に粘着剤層により固定することができる。このように表裏のフィルムの上端部の内面同士を第２の粘着剤層により固定して開口部を閉じるだけでなく、フラップを袋に粘着剤層により固定して開口部を閉じることによって、開口部を二重に閉じることができるので、重量のある商品を収容した場合でも、接着が外れてしまうことを抑制することができる。
【０００８】
また、本考案に係る商品包装袋は、前記フラップには、吊下げ用の貫通孔が形成されていてもよい。
【０００９】
上記のように、フラップに形成された吊下げ用の貫通孔を、例えば店舗に備える陳列台としての什器のフックに通すことにより、フックに貫通孔を介して商品包装袋を吊り下げることができる。
【００１０】
また、本考案に係る商品包装袋は、前記第２の粘着剤層が、上下方向に複数箇所備えていてもよい。
【００１１】
上記のように、第２の粘着剤層が、上下方向に複数箇所備えていれば、上下方向に１箇所のみ第２の粘着剤層を備えた構成に比べて、接着力を増大させることができる。
【考案の効果】
【００１２】
以上の如く、本考案によれば、フラップを袋に固定するための粘着剤層に加えて、表裏フィルムの上端部の内面同士を固定する第２の粘着剤層を備えることによって、重量のある商品を収容した場合でも、接着が外れてしまうことを抑制することができる商品包装袋を提供することができる。
【図面の簡単な説明】
【００１３】
【図１】本考案に係る商品包装袋を示し、フラップを閉じていない状態の商品包装袋の正面図である。
【図２】図１におけるＡ−Ａ線断面図である。
【図３】図１の商品包装袋の第２の粘着剤層により開口部を閉じた状態の断面図である。
【図４】図１の商品包装袋のフラップを閉じた状態の断面図である。
【図５】他の形態の商品包装袋を示し、フラップを閉じていない状態の商品包装袋の正面図である。
【図６】図５におけるＢ−Ｂ線断面図である。
【図７】図６の商品包装袋のフラップを閉じた状態の断面図である。
【図８】他の形態の商品包装袋を示し、フラップを閉じていない状態の商品包装袋の上端部の正面図である。
【図９】図８においてフラップを閉じた状態の縦断側面図である。
【考案を実施するための形態】
【００１４】
以下、本考案の商品包装袋の一実施形態について、図面に基づいて説明する。商品包装袋は、各種の合成樹脂フィルムから構成されている。
【００１５】
図１〜図４に示すように、商品包装袋１は、縦長の長方形状に構成され、表裏のフィルム２，３の上方に開口部４を有する袋５と、袋５の開口部４の縁から延出されたフラップ６と、を備えている。そして、開口部４を通して袋５の内部へ商品を収容し、フラップ６で開口部４を閉じる。
【００１６】
商品包装袋１を構成する合成樹脂フィルムとしては、ポリプロピレン系樹脂、ポリエチレン系樹脂等の各種の熱可塑性の透明又は光透過性の高い半透明な合成樹脂フィルムを用いることができるが、他の材料からなるフィルムであってもよい。
【００１７】
フラップ６は、裏側のフィルム３の上端から上方に延出され、横長の長方形状に構成されている。また、フラップ６の上端部の内面（表側のフィルム２側の面）には、フラップ６を開口部４を閉じる方向に折り曲げてフラップ６を袋５を構成する表側のフィルム２の上端部の外面（裏側のフィルム３とは反対側の面）に固定するための粘着剤層７を備えている。この第１の粘着剤層７は、所定の同一幅（図１では上下方向の大きさを幅としている）を有し、かつ、フラップ６の左右幅方向全域に亘って形成されている。また、第１の粘着剤層７を覆うための横長の長方形状に構成された第１の離型材８を備えている。第１の離型材８は、第１の粘着剤層７の幅よりも大きな幅（図１では、第１の粘着剤層７の幅のほぼ２．５倍の幅）に構成されている。そして、第１の離型材８の上端を第１の粘着剤層７の上端にほぼ合わせた状態で第１の離型材８を第１の粘着剤層７上に貼り付けている。従って、第１の離型材８の上端部を除く下側部分が、第１の粘着剤層７に貼り付けられていないため、その下側部分を指で掴んで上方へ引っ張り上げることにより、第１の離型材８を迅速に取り外すことができる。
【００１８】
また、図１及び図２に示すように、表側のフィルム２の上端部の内面に、該内面とこれに対向する裏側のフィルム３の上端部の内面とを固定するための第２の粘着剤層９を備えている。この第２の粘着剤層９は、第１の粘着剤層７と同一幅（図１では上下方向の大きさを幅としている）を有し、かつ、表側のフィルム２の左右幅方向全域に亘って形成されている。また、第２の粘着剤層９を覆うための横長の長方形状に構成された第２の離型材１０を備えている。第２の離型材１０は、第２の粘着剤層９の幅よりも大きな幅（図１では、第２の粘着剤層９の幅のほぼ２．５倍の幅）に構成され、第１の離型材８と同一の大きさに構成されている。そして、第２の離型材１０の上端を第２の粘着剤層９の上端にほぼ合わせた状態で第２の離型材１０を第２の粘着剤層９上に貼り付けている。従って、第２の離型材１０の上端部を除く下側部分が、第２の粘着剤層９に貼り付けられていないため、その下側部分を指で掴んで上方へ引っ張り上げることにより、第２の離型材１０を迅速に取り外すことができる。
【００１９】
前記構成の商品包装袋１に商品を収容してフラップ６を閉じるまでの手順を説明する。まず、開口部４を通して袋５の内部に商品（図示せず）を収容する。商品の収容後、第２の粘着剤層９を覆っている第２の離型材１０を取り外してから、表側のフィルム２の上端部の内面と裏側のフィルム３の上端部の内面とを接触させることによって、表側のフィルム２の上端部の内面と裏側のフィルム３の上端部の内面とを第２の粘着剤層９により固定して開口部４を閉じることができる（図３参照）。次に、第１の粘着剤層７を覆っている第１の離型材８を取り外してから、開口部４を閉じる方向にフラップ６を折り曲げることによりフラップ６を表側のフィルム２の上端部の外面に第１の粘着剤層７により固定することができる。このように表裏のフィルム２，３の上端部の内面同士を第２の粘着剤層９により固定して開口部４を閉じるだけでなく、フラップ６を表側のフィルム２の上端部の外面に第１の粘着剤層７により固定して開口部４を閉じることによって、開口部４を二重に閉じることができるので、重量のある商品を収容した場合でも、接着が外れてしまうことを抑制することができる。
【００２０】
尚、本考案は、前記実施形態に限定されるものではなく、本考案の要旨を逸脱しない範囲で種々の変更が可能である。例えば、図５〜図７に示すように、表側のフィルム２の上端部の内面に、２つの粘着剤層９Ａ，９Ｂを上下方向に間隔を置いて備えてもよい。これら粘着剤層９Ａ，９Ｂのそれぞれは、同一幅を有し、かつ、表側のフィルム２の左右幅方向全域に亘って形成されている。また、第２の粘着剤層９Ａ，９Ｂを覆うための横長の長方形状に構成された第２の離型材１１を備えている。第２の離型材１１は、２つの第２の粘着剤層９Ａ，９Ｂの幅よりも大きな幅に構成され、第１の離型材８よりも幅の大きな寸法に構成されている。そして、第２の離型材１１の上端を上側に位置する第２の粘着剤層９Ａの上端にほぼ合わせた状態で第２の離型材１１を２つの第２の粘着剤層９Ａ，９Ｂ上に貼り付けている。従って、第２の離型材１１の上端部を除く下側部分が、２つの第２の粘着剤層９Ａ，９Ｂに貼り付けられていないため、その下側部分を指で掴んで上方へ引っ張り上げることにより、第２の離型材１１を迅速に取り外すことができる。第２の粘着剤層９Ａ，９Ｂを覆っている第２の離型材１１を取り外してから、表側のフィルム２の上端部の内面と裏側のフィルム３の上端部の内面とを接触させることによって、表側のフィルム２の上端部の内面と裏側のフィルム３の上端部の内面とを２つの第２の粘着剤層９Ａ，９Ｂにより固定して開口部４を閉じる。次に、第１の粘着剤層７を覆っている第１の離型材８を取り外してから、開口部４を閉じる方向にフラップ６を折り曲げることによりフラップ６を表側のフィルム２の上端部の外面に第１の粘着剤層７により固定する（図７参照）。図５〜図７では、２つの第２の粘着剤層９Ａ，９Ｂを設けたが、３つ以上の第２の粘着剤層を設けて実施してもよい。このように、第２の粘着剤層を、上下方向に複数箇所備えることによって、上下方向に１箇所のみ第２の粘着剤層を備えた構成に比べて、接着力を増大させることができる。尚、図５〜図７で説明しなかった部分は、図１〜図４と同一構成であり、同一の符号を付し、説明は省略している。
【００２１】
また、前記実施形態の図１に示したフラップ６の上下方向の寸法を、図８及び図９に示すように、長くして、その長いフラップ６に吊下げ用の一対の貫通孔６Ａ，６Ａを形成してもよい。従って、フラップ６を閉じた状態で、図９に示すように店舗に備える陳列台としての什器のフック１２に貫通孔６Ａ，６Ａを通すことによって、フック１２に貫通孔６Ａ，６Ａを介して商品包装袋１を吊り下げることができる。
【００２２】
前記実施形態では、フラップ６を開口部４を閉じる方向に折り曲げてフラップ６を袋５に固定するための第１の粘着剤層７を、フラップ６に備えたが、袋６（実施形態では表側のフィルム２の外面）に備えてもよい。
【００２３】
また、前記実施形態では、フラップ６を裏側のフィルム３の上端から上方へ延出したが、表側のフィルム２の上端から上方へ延出してもよい。
【００２４】
また、前記実施形態では、表側のフィルム２の上端部の内面と裏側のフィルム３の上端部の内面とを固定するための第２の粘着剤層９を、表側のフィルム２に備えたが、裏側のフィルム３に備えてもよい。
【００２５】
また、前記実施形態では、袋５を表裏のフィルム２，３のみで構成したが、表裏のフィルム２，３の左右方向両側縁に折り畳み可能なマチを備えたガゼットタイプの袋に構成してもよい。
【００２６】
また、前記実施形態では、縦長の長方形状の袋５に構成したが、横長の長方形状の袋から構成してもよいし、正方形状の袋であってもよく、袋の形状は、これら以外の形状に自由に変更することができる。
【符号の説明】
【００２７】
１…商品包装袋、２…表側のフィルム、３…裏側のフィルム、４…開口部、５…袋、６…フラップ、６Ａ…貫通孔、７…第１の粘着剤層、８…第１の離型材、９，９Ａ，９Ｂ…第２の粘着剤層、１０…第２の離型材、１１…第２の離型材、１２…フック
【図１】
0003204077.tif 000003
【図２】
0003204077.tif 000004
【図３】
0003204077.tif 000005
【図４】
0003204077.tif 000006
【図５】
0003204077.tif 000007
【図６】
0003204077.tif 000008
【図７】
0003204077.tif 000009
【図８】
0003204077.tif 000010
【図９】
0003204077.tif 000011